(57)【特許請求の範囲】
【請求項１】
容器（1）が上部蓋体（11）と下部本体（12）とに分離できる構造で、下部本体（12）に害虫誘引捕獲剤を収納するための凹部（53）を具備した捕虫器において、
上部蓋体（11）に設けた小穴（51）と、下部本体（12）に設けた大穴（52）とが上下に対向することを特徴とする捕虫器。
【請求項２】
下部本体（12）の中央に、容器（1）と一体又は別体のＹ字型(6a)、十字型(6b)、一字型(6c)のいずれかの骨状受部の餌置台（6）(6A）を設けた請求項１記載の捕虫器。
【請求項３】
下部本体（12）と一体又は別体に設けた餌置台（6）(6A）の下部に、ナメクジ等の害虫が這い上がる伝い柱（62）を設けた請求項１又は２記載の捕虫器。
【請求項４】
下部本体（12）に脚部（13）を設けた請求項１、２又は３記載の捕虫器。
【発明の詳細な説明】
【０００１】
【発明が属する技術分野】
この発明は、ハエ、ナメクジ、アリ、ダンゴ虫等の害虫を誘引捕獲及び誘殺するための捕虫器に関する。
【０００２】
【従来の技術】
イエバエ等の蝿類は、病原菌や雑菌などを媒介し、人間や家畜の回りを飛び回って不快感や喧騒感を与える衛生害虫として知られ、伝染病を媒介して人に害を与える。従来のハエの誘殺・誘引方法としては、下部に餌を配置する空間を有する基台に、上下芳香の貫通開口を設け、この開口に連通するトラップ筒を基台の上面に立設し、トラップ筒を被いかつトラップ筒との間に十分な空間を設けたネットからなるかごを前記基台に着脱自在に取付けたはえ取り器（（イ）実開平５−８０２８２）等がある。
【０００３】
また、ナメクジは、気温の下がる夜間に行動して植物に害を及ぼし、また畑を荒らすのみならず温室にまで入り込んで作物の外敵なることが知られており、従来のナメクジ等の誘殺・誘引方法としては、ナメクジ誘引剤を収納する凹部が形成された防除器本体を設け、上記防除器本体と蓋部材と支持部材との三者が組み立て分離可能に構成されたナメクジ防除器（（ロ）登録実用第３０５５６８５号）等がある。
【０００４】
しかし、従来のはえ取り器（イ）では上部がネットからなるかごであるため、雨や散水により餌が濡れてしまうという欠点があり、また従来のナメクジ防除器（ロ）では、（イ）と比較して蓋部材があるため一応雨や散水は防げるが、雨や散水の水が地面より跳ね返り本体と蓋部材との空間より水が入り、誘引剤が希釈されたり、分解される恐れがあるという欠点があった。さらに、雨や散水が入らないよう容器内を密閉すると、容器内に熱気がこもり、多くの虫が嫌う状況を招いてしまうという問題点もある。
【０００５】
【発明が解決しようとする課題】
そこで本発明は、雨や散水においても水が捕虫器の中に入らず、誘引剤の成分が希釈されたり分解される心配がない構造を持ち、容器内に熱気のこもらない構造で、且つ誘引剤の香りが効果的に発散する捕虫器を提供することを課題とする。さらに、捕虫器の中に入れる誘引捕獲・誘殺剤及び餌の種類を変えることにより、ハエ、ナメクジ、アリ、ダンゴ虫等の種々の害虫に対応できる捕虫器を提供することを課題とする。
【０００６】
【課題を解決するための手段】
本発明は、上記課題を解決するため、容器が上部蓋体と下部本体とに分離できる構造で、下部本体に害虫誘引捕獲剤を収納するための凹部を具備した捕虫器において、上部蓋体に設けた小穴と、下部本体に設けた大穴とが上下に対向する捕虫器とする。また、下部本体の中央に、容器と一体又は別体のＹ字型、十字型、一字型のいずれかの骨状受部の餌置台を設けてもよい。また、下部本体と一体又は別体に設けた餌置台の下部に、ナメクジ等の害虫が這い上がる伝い柱を設けてもよい。また、下部本体に脚部を設けてもよい。
【０００７】
【発明の効果】
本発明の請求項１に記載の発明によれば、上述の主な捕虫器は、上部蓋体と下部本体の外周が密閉するよう形成され、上部蓋体（11）に設けた小穴（51）と、下部本体（12）に設けた大穴（52）とが上下に対向する構成であるため、雨水や散水により捕虫器の上から水が降下しても上部蓋体の小穴が小さいので入りにくく、万が一、捕虫器中央上部から上部蓋体の小穴に水が入った場合にも、対向する下部本体の大穴から水は外に出る構造であり、捕虫器の中には水が入らず、薬液の成分が希釈されたり、分解される心配がない。
【０００８】
更に、上部蓋体と下部本体の外周は密閉されているが、上部蓋体に設けた小穴と下部本体に設けた大穴が通気穴の役割を果たすため、害虫の嫌う熱気がこもることもなく、誘引物質の香りの発散（放散）が効果的に行われる。
【０００９】
また、容器の上部蓋体と下部本体は分離可能であるため、容器内部を洗ったり、中の死骸を取り出すことが容易にでき、容器内の液を入れ替えることで、容器は繰り返し使用できる。そして、明るいところを好む害虫（例えばハエ等）の場合には透明又は半透明の蓋体を用いた捕虫器とし、暗いところを好む害虫（例えばナメクジ等）の場合には暗色の蓋体を用いた捕虫器とすることで、より誘引効果を高めることができる。
【００１０】
下部本体に薬液である害虫誘引捕獲剤を収納する凹部を設けたので、害虫の種類に応じて誘引剤の種類を変えることができ、ハエ、ナメクジ、アリ等の種々の害虫に対応できる。
【００１１】
本発明の請求項２に記載の発明は、上記請求項１記載の発明の構成と併せて、必要に応じて下部本体の中央に、容器と一体又は別体のＹ字型、十字型、一字型のいずれかの、雨水や散水を受けるような皿状ではなく、水が抜け落ちるような骨状受部の餌置台を設けることができる。さらに、この餌置台に餌取付爪を設けることにより、薬液以外に生餌等の固形物を設置することもできる。
【００１２】
本発明の請求項３に記載の発明は、請求項１又は２記載の発明の構成と併せて、容器と一体又は別体に設けられた餌置台の下部に、ナメクジ等の害虫が這い上がる伝い柱を設けることにより、ナメクジ等がこの伝い柱を伝って捕虫器に入り易くなり、誘引捕獲・誘殺効果を高めることができる。もちろん、ナメクジ等は前記下部本体に設けられた脚部からも這い上がり捕虫器に入る。
【００１３】
本発明の請求項４に記載の発明は、請求項１、２又は３記載の発明の構成と併せて、下部本体に脚部を具備した構成で、その捕虫器の脚部及び前記餌置台の下部に設けられた伝い柱を土の中に半ば埋めることにより、地面と捕虫器の底面が近接するため、アリ、ワラジ虫等が入り易く、誘引捕獲・誘殺効果を高めることができる。
【００１４】
【発明の実施の形態及び実施例】
以下、本発明の実施例をハエ、ナメクジ、アリ・ワラジ虫・ダンゴ虫等に分け、図面に基づいて詳述する。
【００１５】
図１に示した容器（１）は、分解可能な上部蓋体（11）と下部本体（12）から形成され、下部本体（12）の下部に脚部（13）を具備した構成である。加えて、図５、６、７、８に示すように、本発明の捕虫器は、通気穴兼、害虫（ハエなど）の浸入穴となる上部蓋体（11）の小穴（51）と下部本体（12）に害虫侵入の大穴（52）が設けられる。下部本体（12）には薬液（54）である誘殺剤（毒餌）又は、誘引捕獲剤を収納する凹部（53）を具備する。図９に示すように、容器（1）には一体又は別体のＹ字型（6a）、十字型（6b）、−字型（6c）のいずれかの骨状受部の餌置台（6）(6A）を設ける。この餌置台が容器と別体の場合には、図７に示すように、下部本体（12）に設けられた凹部（53）の内縁に餌置台（6A）が掛止固定できるよう引掛部（63）が形成されている。餌置台（6）(6A）には、地面を這って下部本体（12）の大穴（52）から容器内に入るような害虫に対して、這い上がりやすいように伝い柱（62）が形成されている。
【００１６】
ハエの防除方法（実施例１）
ハエは、明るいところを好み、上に飛昇する習性があるため、本発明の分離可能な容器（1）の上部蓋体（11）を透明又は半透明の明るいものにする。下部本体（12）の中央に設けられた容器（１）と一体又は別体のＹ字型（6a）、十字型（6b）、−字型（6c）の餌置台（6）（6A）は、雨水や散水を受けるような皿状ではなく、水が抜け落ちるような骨状受部である。餌置台の餌取付爪（61）にハエが好む果物の香りや発酵・腐敗臭を発するイチゴ、バナナの皮、モモ、リンゴの皮等の生餌を刺して一週間程度放置するか、或いは下部本体（12）に設けられた凹部（53）に薬液（54）である害虫誘引剤を収納しておくことにより、ハエが誘引捕獲・誘殺される。また、薬液の代わりにビール、酒を凹部に収納しておいても効果がある。
【００１７】
本発明の捕虫器は、上部蓋体（11）に設けた小穴（51）と、下部本体（12）に設けた大穴（52）とが上下に対向するよう形成され、この上下穴より餌の香りが放散されるため、この香りに誘引されて下部本体（12）の大穴（52）から浸入したハエは、明るい方に向かって上昇するが、上部から出られないため、飛んでいるうちに容器内の薬液にはまり溺死する。
【００１８】
ナメクジの防除方法（実施例２）
ナメクジは、暗いところを好むため、分離可能な上部蓋体（11）を暗色の物にし、下部本体（12）に設けられた薬液（54）を溜める凹部（53）に、メタアルデヒドを主成分とする毒餌を収納する。ナメクジは、下部本体（12）に設けられた脚部（13）或いは餌置台（6）（6A）に設けられた伝い柱（62）を伝って下部本体（12）の大穴へと這い上がり、下部本体（12）に設けられた凹部（53）の毒餌により誘引捕獲・誘殺される。
【００１９】
アリ・ワラジ虫・ダンゴ虫の捕虫方法（実施例３）
下部本体（12）に具備された脚部（13）と餌置台の下部に設けられた伝い柱（62）を土の中に半ば埋めて下部本体（12）を地面と近接させることにより、アリ、ワラジ虫、ダンゴ虫が侵入し易いようにし、下部本体（12）に設けられた薬液（54）を溜める凹部（53）に収納されたカーバメイト系殺虫成分又は硼砂を主成分とする毒餌により、誘引捕獲・誘殺される。
【図面の簡単な説明】
【図１】本発明の捕虫器の正面図
【図２】本発明の捕虫器の平面図
【図３】本発明の捕虫器の底面図
【図４】図２のＡ−Ａ断面図
【図５】捕虫器の使用状態を示すＡ−Ａ断面図
【図６】本発明の容器・餌置台を一体成形した捕虫器の使用状態を示すＡ−Ａ断面図
【図７】本発明の容器・餌置台を別体とした捕虫器の使用状態を示すＡ−Ａ断面図
【図８】図７の餌置台のみの正面図
【図９】餌置台の他の形状を示す平面図
【符号の説明】
(1)     容器
(11)    上部蓋体
(12)    下部本体
(13)    脚部
(51)    上部小穴
(52)    下部大穴
(53)    凹部
(54)    薬液
(6)     餌置台
(61)    餌取付爪
(62)    伝い柱
(63)    引掛部
(6A)    餌置台
(6a)    Ｙ字型
(6b)    十字型
(6c)    一字型
【図１】
0003616998.tif 000002
【図２】
0003616998.tif 000003
【図３】
0003616998.tif 000004
【図４】
0003616998.tif 000005
【図５】
0003616998.tif 000006
【図６】
0003616998.tif 000007
【図７】
0003616998.tif 000008
【図８】
0003616998.tif 000009
【図９】
0003616998.tif 000010